(57)【要約】【課題】  ストップボタン等のメンテナンスを容易とするスロットマシンを提供する。【解決手段】  ベットボタン４２、スタートレバー４１、左ストップボタン４３、中ストップボタン４４、及び右ストップボタン４５がそれぞれ設けられた遊技操作スイッチ部ユニット体５０を備え、当該遊技操作スイッチ部ユニット体５０が、貯留皿８の前方に位置し、かつその左側縁が前枠４前面に対して開閉可能に軸支されて、貯留皿８の前方に位置する定常位置、又は開閉軸を中心に回動して背面が露出する回動位置のいずれかとなるようにした。【選択図】  図２
2006020765.tif 000002
【特許請求の範囲】
【請求項１】
遊技島に起立状に配設される外枠と、該外枠の前面開口部を覆う遊技機本体とからなり、
該遊技機本体が、
外周面に複数の図柄を具備した複数の回転ドラムと、
回転ドラムが臨む窓口を具備し、かつ外枠の前面に配設された前枠と、
前枠の前方に突出して上方開口した、遊技媒体である遊技球を貯留する貯留皿と、
遊技者の操作により、少なくとも回転ドラムを回転始動又は回転停止する遊技操作スイッチ部と
を備えたスロットマシンにおいて、
複数の遊技操作スイッチ部が前面に配設されてなる遊技操作スイッチ部ユニット体を備えると共に、
該遊技操作スイッチ部ユニット体が、
その一側縁が前枠前面に対して開閉可能に軸支されて、貯留皿を覆う位置で固定される定常位置、又は前記一側縁に設けられた支軸を中心に回動して背面が露出する回動位置のいずれかとなることを特徴とするスロットマシン。
【請求項２】
遊技島に起立状に配設される外枠と、該外枠の前面開口部を覆う遊技機本体とからなり、
該遊技機本体が、
外周面に複数の図柄を具備した複数の回転ドラムと、
回転ドラムが臨む窓口を具備し、かつ外枠の前面に配設された前枠と、
前枠の背面に開閉可能に枢設された、遊技球が通過する球通路を具備する裏機構板と、
遊技媒体としての遊技球が投入される貯留空間を具備した、所定容積の貯留皿と、
遊技者の操作により、少なくとも回転ドラムを回転始動又は回転停止する遊技操作スイッチ部と
を備えたスロットマシンにあって、
前枠が、外枠の前面に開閉可能に枢設され、かつ当該前枠に、前後方向に貫通する貫通装着口が形成され、
貯留皿が、その少なくとも一部が裏機構板面から前方突出するようにして当該裏機構板に配設され、前枠及び裏機構板が遮閉された状態で、裏機構板面から突出した前記貯留皿の突出部分が前枠の貫通装着口を貫通し、その前枠の前方で上方開口した部位を遊技球を貯留空間に投入するための球投入開口部とすると共に、
複数の遊技操作スイッチ部が前面に配設されてなる遊技操作スイッチ部ユニット体が、前枠から突出する貯留皿前面を覆うように、前枠に配設されてなることを特徴とするスロットマシン。
【発明の詳細な説明】
【技術分野】
【０００１】
本発明は、遊技球を遊技媒体とするスロットマシンに関する。
【背景技術】
【０００２】
既に、遊技媒体として遊技球を用いるスロットマシンはいくつか提案されている。かかるスロットマシンは、遊技媒体として通常使用されるメダルの替わりに、遊技球を遊技機に投入することにより回転ドラムが回転始動するものである。そして、回転始動した回転ドラムを遊技者が回転停止させ、所定の当り態様が表示されると、所定個数の遊技球が払い出される構成となっている。こうしたスロットマシンは、パチンコ機が取り付けられる遊技島にパチンコ機同様に取り付けることができ、パチンコ機とスロットマシンとを併存させて遊技者の利便性の向上を図ることができる。
【０００３】
ところで、このような遊技球を用いるスロットマシンも、メダルを用いるスロットマシンと同様に、回転ドラムを回転始動させるためのスタートレバー、及び回転停止するためのストップボタンを備えている。そして、その配設位置としては、遊技球を貯留する貯留皿が一体成形された上皿部材の前面が提案されている（例えば、特許文献１参照。）。これは、メダルを用いるスロットマシンの構成に倣ったもので、メダルを用いるスロットマシンと同様にほぼ遊技者の胸の高さ位置にストップボタン等を配することにより、遊技者が違和感無くボタン操作できるようにするためである。
【０００４】
【特許文献１】特開２００１−２０４８８１号公報
【発明の開示】
【発明が解決しようとする課題】
【０００５】
しかしながら、上述のように上皿部材にストップボタン等を配設する構成であると、ストップボタン等のすぐ後ろに貯留皿の貯留空間が位置することとなるため、ストップボタン等の背面に、各ボタンに係る電気系統のメンテナンスを行い得る十分な作業空間を確保することができない問題があった。このため、スロットマシンを遊技島に配設したまま定期的にメンテナンスを行うことが極めて困難であった。ここで、ストップボタン等の遊技操作スイッチ部は、特に使用頻度が高く、遊技者の操作態様によっては強い衝撃が加えられる場合もあるため、定期的なメンテナンスは必要不可欠である。特に、そのような衝撃による影響は、ボタンの外表面よりも内部の電気系統に故障をきたすことが多く、背面側からメンテナンスすることは極めて重要である。
【０００６】
そこで、本発明は、上記問題を解消し得るスロットマシンを提供することを目的とする。
【課題を解決するための手段】
【０００７】
本発明は、遊技島に起立状に配設される外枠と、該外枠の前面開口部を覆う遊技機本体とからなり、該遊技機本体が、外周面に複数の図柄を具備した複数の回転ドラムと、回転ドラムが臨む窓口を具備し、かつ外枠の前面に配設された前枠と、前枠の前方に突出して上方開口した、遊技媒体である遊技球を貯留する貯留皿と、遊技者の操作により、少なくとも回転ドラムを回転始動又は回転停止する遊技操作スイッチ部とを備えたスロットマシンにおいて、複数の遊技操作スイッチ部が前面に配設されてなる遊技操作スイッチ部ユニット体を備えると共に、該遊技操作スイッチ部ユニット体が、その一側縁が前枠前面に対して開閉可能に軸支されて、貯留皿を覆う位置で固定される定常位置、又は前記一側縁に設けられた支軸を中心に回動して背面が露出する回動位置のいずれかとなることを特徴とするスロットマシンである（請求項１）。
【０００８】
このように、貯留皿から独立した遊技操作スイッチ部ユニット体を構成し、かつこの遊技操作スイッチ部ユニット体を前枠に対して開閉可能とし、これを前記回動位置とすると、遊技操作部スイッチ部ユニット体の背面が露出することとなる。この回動位置にあっては、各遊技操作スイッチ部に係る配線部材が背面に露出することとなるため、これらの電気系統についてメンテナンスを行い得る。ところで、従来のスロットマシンにおいてメンテナンスをする際は、前枠全体を開放して、その背面を露出する必要があったところ、前枠に設けられた貯留皿等内の遊技球の重さにより、前枠の開閉作業に労力を要する場合があった。また、前枠の開閉軸に大きな負荷が作用するため、撓み・変形を防止すべく重厚な開閉機構を要した。しかしながら、本発明は上記構成としたため、貯留皿に貯留される遊技球の重さとは無関係に、各スイッチ部にかかる配線部材のある背面を露出することができ、メンテナンス作業に要する労力が軽減されると共に、開閉機構が簡素化される。さらに、遊技操作部ユニット体を前枠前面で保持したままその背面を露出させることができるため、メンテナンスの作業性が向上することとなる。さらに、貯留皿は一般的に遊技者のほぼ胸の高さ位置に設けられているところ、本発明のように遊技操作スイッチ部ユニット体を貯留皿前方に設ける構成とすることにより、遊技操作スイッチ部を遊技者のほぼ胸の高さ位置に配設することが可能となり、操作性が良好である。
【０００９】
また、本発明は、遊技島に起立状に配設される外枠と、該外枠の前面開口部を覆う遊技機本体とからなり、該遊技機本体が、外周面に複数の図柄を具備した複数の回転ドラムと、回転ドラムが臨む窓口を具備し、かつ外枠の前面に配設された前枠と、前枠の背面に開閉可能に枢設された、遊技球が通過する球通路を具備する裏機構板と、遊技媒体としての遊技球が投入される貯留空間を具備した、所定容積の貯留皿と、遊技者の操作により、少なくとも回転ドラムを回転始動又は回転停止する遊技操作スイッチ部とを備えたスロットマシンにあって、前枠が、外枠の前面に開閉可能に枢設され、かつ当該前枠に、前後方向に貫通する貫通装着口が形成され、貯留皿が、その少なくとも一部が裏機構板面から前方突出するようにして当該裏機構板に配設され、前枠及び裏機構板が遮閉された状態で、裏機構板面から突出した前記貯留皿の突出部分が前枠の貫通装着口を貫通し、その前枠の前方で上方開口した部位を遊技球を貯留空間に投入するための球投入開口部とすると共に、複数の遊技操作スイッチ部が前面に配設されてなる遊技操作スイッチ部ユニット体が、前枠から突出する貯留皿前面を覆うように、前枠に配設されてなることを特徴とするスロットマシンである（請求項２）。
【００１０】
かかる構成にあって、前枠から裏機構板を開放して両者を遠ざけると、これに伴って貯留皿が前枠の貫通装着口から抜け出て、遊技操作スイッチ部ユニット体と貯留皿とが互いに遠ざけられることとなる。すなわち、遮閉時には隠れて見えなかった遊技操作スイッチ部ユニット体の背面が、前枠から裏機構板を開放することにより露出することとなる。したがって、遊技機本体が外枠に取り付けられている状態で前枠を開放することにより、遊技操作スイッチ部ユニット体に設けられた遊技操作スイッチ部のメンテナンスを容易に行うことができる。
【発明の効果】
【００１１】
本発明のスロットマシンは、遊技操作スイッチ部ユニット体が、貯留皿の前方に位置し、かつ前枠前面に対して開閉可能に軸支される構成としたため（請求項１）、遊技操作スイッチ部ユニット体を前枠前面で保持したまま背面を露出させることが可能となり、遊技操作スイッチ部のメンテナンスを容易かつ迅速に行うことができる効果がある。さらに、遊技操作スイッチ部ユニット体を貯留皿の前方に位置させたため、遊技操作スイッチ部を遊技者のほぼ胸の高さ位置に配設することが可能となり、遊技者が違和感無く遊技操作できる利点がある。
【００１２】
また、本発明のスロットマシンは、貯留皿を裏機構板に配設し、該貯留皿の突出部分を前枠の貫通装着口を貫通させると共に、遊技操作スイッチ部ユニット体を当該突出部分の前面に位置させたため、遊技機本体が外枠に取り付けられている状態で前枠を開放して遊技操作スイッチ部ユニット体の背面を露出させることが可能となり、遊技操作スイッチ部のメンテナンスを容易かつ迅速に行うことができる効果がある。
【発明を実施するための最良の形態】
【００１３】
<第一実施形態例>
本発明にかかるスロットマシン１は、遊技媒体として遊技球を用いるものであり、パチンコ機用の遊技島に対してパチンコ機同様に取り付けられる。具体的には、このスロットマシン１は、図１〜３に示されるように、遊技島に起立状に配設される矩形状の外枠２と、この外枠２の前面開口部を覆う遊技機本体３とで構成される。
【００１４】
さらに前記遊技機本体３は、外枠２の前面に開閉可能に枢設される前枠４を備えている。この前枠４は、外枠２の前面の左側縁上に設けられた上端ヒンジ部材９ａと中央ヒンジ部材９ｂを介して外枠２に接続されている。また、遊技機本体３は、前枠４の後方位置に設けられた、三つの回転ドラム１２ａ，１２ｂ，１２ｃも具備している。
【００１５】
また、前枠４には、透明板６が装着される窓口４７が形成されており、この窓口４７に回転ドラム１２ａ〜１２ｃや表示器１９等が臨むことによって、遊技者が透明板６を介して回転ドラム１２ａ〜１２ｃの外周面に配設された図柄等を視認できるような構成となっている。
【００１６】
また、前記窓口４７の直下位置には、遊技球を貯留する所定容積の貯留皿８（図２，３参照）が設けられ、当該前枠４の前方に貯留皿８の球投入開口部３０が開口している。そして、いわゆるクレジット数が所定の上限数を超えた場合に、当該貯留皿８に遊技球が払い出される構成となっている。また、その内底面８１には、取込口８５（図４参照）が形成されており、貯留された遊技球が所定個数を一単位として当該取込口８５を介して遊技島の球回収装置（図示省略）に排出される。
【００１７】
一方、この貯留皿８の前面を覆うようにして、ほぼ直方体状の遊技操作スイッチ部ユニット体５０が配設されている。この遊技操作スイッチ部ユニット体５０は、遊技者が操作するスタートレバー４１、ベットボタン４２、及びストップボタン４３〜４５を直方体状の筐体に複数配設することにより構成されている。なお、これらスタートレバー４１、ベットボタン４２、及びストップボタン４３〜４５により、遊技操作スイッチ部が構成される。
【００１８】
ここで、スタートレバー４１は、回転ドラム１２ａ〜１２ｃを回転始動するものであり、スタートレバー４１を操作すると、これを契機として各回転ドラム１２ａ〜１２ｃに連繋された回胴装置（図示省略）が駆動開始し、これに伴って回転ドラム１２ａ〜１２ｃが前方に所定速度で回転する。
【００１９】
また、ベットボタン４２は、１ゲーム当りの賭数を決定するものであり、このボタン操作により貯留皿８内の遊技球が所定個数だけ自動的に遊技機内へ取り込まれる。
【００２０】
各ストップボタン４３〜４５は、回転ドラム１２ａ〜１２ｃを回転停止するものであり、回転ドラム１２ａ〜１２ｃの回転中にこれらのボタンを押圧操作すると、この操作タイミングに基づいて回胴装置が各ボタン４３〜４５に対応する回転ドラム１２ａ〜１２ｃを停止させる。なお、回転ドラム１２ａ〜１２ｃを回転始動、又は回転停止する構成は、従来構成を好適に用いることができる。
【００２１】
なお、上述の貯留皿８の配設構成、及び遊技操作スイッチ部ユニット体５０の構成については、本発明の要部であるため後でさらに詳述する。
【００２２】
また、前枠４の下方位置には、補助貯留皿１４が一体成形されてなる下皿部材３１が、中央ヒンジ部材９ｂと下端ヒンジ部材９ｃとにより外枠２に接続されている。さらに、この下皿部材３１の水平上縁には、前枠４の下部背面が面接触するストッパー３２が取り付けられている。そして、前枠４が外枠２に対して開放されることにより、下皿部材３１も開放可能となる構成となっている。なお、この補助貯留皿１４は、前記貯留皿８と連通する球出口１８（図３参照）に臨むように配設されており、貯留皿８が満杯である場合に、この球出口１８を介して、貯留皿８の遊技球が補助貯留皿１４内に流入する構成となっている。この貯留皿８から補助貯留皿１４へ遊技球を流入させる機構は、既存のパチンコ機の構成を好適に用いることができる。
【００２３】
一方、図３に示されるように、前枠４の背面には、ヒンジ部材１０を介して裏機構板５が開閉可能に枢設されている。この裏機構板５は、合成樹脂材料からなり、回転ドラム１２ａ〜１２ｃを視認可能とする裏機構板窓口５１が中央に形成される。また、その前面又は背面には、遊技球が通過する球通路（図示省略）や電子回路が組み込まれた基板（図示省略）が複数備え付けられる。
【００２４】
次に、本発明の要部について説明する。
まず、貯留皿８の配設構成について、図３に従って説明する。
本実施形態例にあっては、前記窓口４７の直下位置に横長矩形状の貫通装着口４６が形成されている。この貫通装着口４６は、前後方向に貫通している。また、その形成位置は、遊技者のほぼ胸の高さ位置に相当する。
【００２５】
そして、合成樹脂材料からなる貯留皿８が、この貫通装着口４６内に収容される。すなわち、貯留皿８の横幅（長手方向）が、貫通装着口４６の横幅より短く設定され、貯留皿８の底面を貫通装着口４６の下縁に接触させて、貯留皿８が前枠４を跨ぐようにして固着される。なお、この固着状態で前枠４の前方に上方開口した部分が球投入開口部３０となる。
【００２６】
また、図４〜６に示されるように、貯留皿８の内底面８１には、取込口８５と球整列溝８２とが設けられている。この球整列溝８２は左右方向に形成されており、貯留皿８に投入された遊技球は、この球整列溝８２に流入して一列状に整列し、この球整列溝８２の右端に形成された取込口８５から、所定数（５個）を一単位として後述の取込球通過用樋部材６９に取り込まれることとなる。
【００２７】
また、図４，６に示されるように、取込口８５には、補助貯留皿１４にある球出口１８に連通する球抜用樋部材８４が配設されている。この球抜用樋部材８４は、球整列溝８２の先頭の遊技球を臨む位置に開口しており、当該開口部に開閉可能に設けられた開閉部材８８の開閉制御により、適時に補助貯留皿１４へ排出することができる構成となっている。
【００２８】
また、図６に示されるように、貯留皿８の底面からは、樹脂部材により構成されるモータ台座６２が垂下され、このモータ台座６２に、スプロケット７１を回転駆動する取込モータ７２が固着されている。
【００２９】
前記スプロケット７１は、その周部に、遊技球一個を収容可能な凹部７０を三つ等間隔に備え、各凹部７０の間を、遊技球を係止する係止部７３とするものである。そして、このスプロケット７１が、図５，６に示されるように、中心に形成された軸孔７４が取込モータ７２の回転軸７５に軸着され、取込口８５の直下に位置している。
【００３０】
かかる構成にあって、ステッピングモータからなる取込モータ７２が、所定制御信号に応じた回転角度でスプロケット７１を回転駆動させると、順次その凹部７０に球整列溝８２に整列する遊技球が収容され、取込口８５に配設された取込球通過用樋部材６９に送り込まれる。そして、遊技球は、取込球通過用樋部材６９の案内作用によって、遊技機本体３の背面に案内されて、遊技島の球回収装置へと排出される。なお、スプロケット７１及び取込モータ７２により球取込装置３５が構成される。
【００３１】
一方、図２，３に示されるように、上述した貯留皿８の前方には、当該貯留皿８の前面を覆うようにして、ほぼ直方体状の遊技操作スイッチ部ユニット体５０が配設されている。このように、本発明は、例えば上皿部材等に直接ストップボタン４３〜４５等の遊技操作スイッチ部を設けるのでなく、ほぼ直方体状の筐体にボタン等４１〜４５を設けて遊技操作スイッチ部ユニット体５０として構成し、貯留皿８と別部材としたことを特徴としている。
【００３２】
さらに詳述すると、遊技操作スイッチ部ユニット体５０の上面に、ベットボタン４２等が設けられ、正面に、左側からスタートレバー４１、左ストップボタン４３、中ストップボタン４４、右ストップボタン４５がそれぞれ設けられている。なお、ストップボタン４３〜４５は、ストップボタン４３〜４５が横並びに配設されるストップボタンパネル４０を遊技操作スイッチ部ユニット体５０の正面の所定位置にはめ込むことにより構成している。なお、遊技操作スイッチ部ユニット体５０の前面には、上面及び正面が含まれる。また、背面は開放されてなり、各種ボタンのメンテナンスを可能としている。
【００３３】
さらに、遊技操作スイッチ部ユニット体５０は、前枠４に接続している。すなわち、図２に示されるように、遊技操作スイッチ部ユニット体５０の両側縁のうち、右側縁に施錠機構５５が設けられると共に、左側縁が、前枠４に軸支される構成である。
【００３４】
さらに詳述すると、前枠４の左側縁には、一対の第一軸孔８７ａ，８７ａが上下に配設されている。一方、遊技操作スイッチ部ユニット体５０の左側縁には、一対の第二軸孔８７ｂ，８７ｂが上下に配設されている。そして、両軸孔８７ａ，８７ｂに開閉軸棒８９が鉛直方向に挿通されることにより、遊技操作スイッチ部ユニット体５０が前枠４に対して、開閉軸棒８９を支軸として、開閉可能に枢設されることとなる。これにより、遊技操作スイッチ部ユニット体５０は、貯留皿８の前方に位置する定常位置、又は開閉軸を中心に回動して背面が露出する回動位置のいずれかに位置する。なお、前記定常位置にあっては、貯留皿８の前方突出部位は、遊技操作スイッチ部ユニット体５０の中央に形成された切欠部３３に位置し、球投入開口部３０が形成されることとなる。
【００３５】
このように、貯留皿８とは別部材である遊技操作スイッチ部ユニット体５０を前枠４に対して開閉可能とすることにより（図３参照）、遊技操作スイッチ部ユニット体５０を回動位置として背面からボタン等４１〜４５のメンテナンスを行い得る。また、このような開閉形式とすることにより、遊技操作スイッチ部ユニット体５０を前枠４前面で保持したままその背面を露出させることができるため、作業性が一段と向上することとなる。
【００３６】
次に、遊技操作スイッチ部ユニット体５０の右側縁に設けられる施錠機構５５について、図２，３，７に従って説明する。なお、この施錠機構５５は周知技術が好適に採用される。
【００３７】
かかる施錠機構５５は、シリンダ９５と、フック部５５ａを具備するＣ字状連結板９７と、Ｌ字状係止片５５ｂとで主に構成されている。
【００３８】
図１等に示されるように、遊技操作スイッチ部ユニット体５０の正面には、鍵穴９０が形成されており、遊技操作スイッチ部ユニット体５０の内部には、前記鍵穴９０に連成するシリンダ９５が配設されている。さらに、図７に示されるように、このシリンダ９５の先端には、直角状に作用部９６が形成され、この作用部９６がＣ字状連結板９７の中央口９７ａに遊嵌されて相互が連繋している。また、このＣ字状連結板９７は、機裏側に後方突出したフック部５５ａと、遊技者側に前方突出する突出部９８とを備えている。そしてさらに、この突出部９８と遊技操作スイッチ部ユニット体５０の内側面に固着された折曲板５５ｃに形成された留め具９２とに、引張ばね９１がそれぞれ取り付けられている。
【００３９】
さらに、Ｃ字状連結板９７は上下にそれぞれ縦長の案内孔９９，９９が形成されており、前記折曲板５５ｃ面から側方に突成された案内ピン９３，９３が案内孔９９，９９にそれぞれ挿入されている。
【００４０】
かかる構成にあって、遊技操作スイッチ部ユニット体５０を遮閉するときは、遊技操作スイッチ部ユニット体５０を、前枠４前面まで手押し、その位置で鍵穴９０を介してシリンダ９５を反時計回りに回転させる。これにより、作用部９６が所定角度範囲内で反時計回りに回動し、これに伴ってＣ字状連結板９７が案内ピン９３と案内孔９９との案内作用により鉛直方向に上昇する。そして、これに伴いフック部５５ａも上昇し、フック部５５ａが、外枠２に中央向きに設けられたＬ字状係止片５５ｂと係合する。
【００４１】
これにより、遊技操作スイッチ部ユニット体５０が定常位置も位置すると共に、施錠されることとなる。
【００４２】
なお、これまでに述べた構成は、従来構成のように前枠４の前面から貯留皿８全体が前方突出する構成であっても勿論良い。
【００４３】
<第二実施形態例>
また、別構成が提案される。なお、第一実施形態例と同様の構成は同じ符号を付すと共に、説明を簡略、又は省略する。
【００４４】
本実施形態例にかかる構成は、図９に示されるように、裏機構板５の裏機構板窓口５１内に、裏機構板面から前後方向に突出するようにして所定容積の貯留皿８が載置されるものである。さらに詳述すると、この貯留皿８の横幅（長手方向）は、裏機構板窓口５１の枠幅とほぼ同一に設定されており、裏機構板窓口５１の幅内に貯留皿８が密嵌されて固着されている。なお、このとき貯留皿８の底面と裏機構板窓口５１の下縁とは接触させている。
【００４５】
このように、貯留皿８が裏機構板５に跨るように前後方向にはみ出して保持された構成にあって、前枠４と裏機構板５とを遮閉状態とすると、図１０に示されるように、前方突出した貯留皿８の突出部分が前枠４の貫通装着口４６を貫通し、前枠４の前面から貯留皿８の前部が突出することとなる。そして、この前枠４の前方で上方に開口した部位が、遊技操作スイッチ部ユニット体５０の切欠部３３に位置して、遊技者が遊技球を貯留皿８に投入することを可能にする球投入開口部３０となる。
【００４６】
かかる構成にあって、前枠４から裏機構板５を開放して両者を遠ざけると、これに伴って貯留皿８が前枠４の貫通装着口４６から抜け出て、遊技操作スイッチ部ユニット体５０と貯留皿８とが互いに遠ざけられることとなる。すなわち、遮閉時には隠れて見えなかった遊技操作スイッチ部ユニット体５０の背面が、前枠４から裏機構板５を開放することにより露出することとなる。したがって、遊技機本体３が外枠２に取り付けられている状態で前枠４を開放するだけで、遊技操作スイッチ部ユニット体５０の背面が露出し、その背面から各種ボタン４１〜４５のメンテナンスを容易に行うことができる。
【００４７】
また、かかる構成にあっては、貯留皿８を裏機構板５に配設しつつ、球タンク（図示省略）や賞球払出装置（図示省略）等の遊技球の払出機構を貯留皿８に連結することも可能となる。また、貯留皿８の容積を、パチンコ機に設けられた貯留皿の容量に比して減ずることなく、当該貯留皿８の前枠４からの前方突出長さを小さくすることができるため、ストップボタン４３〜４５等と遊技者との間の空間を拡大し、操作性を向上することが可能となる。
【００４８】
<第三実施形態例>
さらに、別の構成が提案される。すなわち、図１１に示されるように、第二実施形態例と同様に、貯留皿８を裏機構板５に配設し、さらに貯留皿８の前方に位置する遊技操作スイッチ部ユニット体５０の左側縁を前枠４に軸支して、前枠４に対して開閉可能とした構成である。なお、この遊技操作スイッチ部ユニット体５０を前枠４に開閉可能に枢設する構成は、第一実施形態例に示す構成が好適に採用される。
【００４９】
かかる構成にあっては、遊技操作スイッチ部ユニット体５０のみを前枠４から開放して、遊技操作スイッチ部ユニット体５０の背面からメンテナンスを行っても良いし、遊技操作スイッチ部ユニット体５０ごと前枠４を外枠２から開放し、かつ前枠４と裏機構板５とを開放して、メンテナンスを行っても良い。
【００５０】
なお、第一から第三の実施形態例は、本発明の主旨に逸脱しない限り、様々な態様が提案され得る。例えば、窓口４７、貫通装着口４６は、四方が囲繞された構成であっても良いし、一部側方に開放した構成であっても良い。
【図面の簡単な説明】
【００５１】
【図１】スロットマシン１の正面図である。
【図２】スロットマシン１の分解斜視図である。
【図３】図１のＡ−Ａ断面図である。
【図４】図３のＢ部の拡大図である。
【図５】球取込装置３５、球整列溝８２、及び取込口８５の配置関係を示す縦断正面図である。
【図６】球取込装置３５、球整列溝８２、及び取込口８５の配置関係を示す縦断側面図である。
【図７】図３のＣ−Ｃ断面図である。
【図８】第二実施形態例にかかるスロットマシン１ａの正面図である。
【図９】第二実施形態例にかかるスロットマシン１ａの分解斜視図である。
【図１０】図８のＤ−Ｄ断面図である。
【図１１】第三実施形態例にかかるスロットマシン１ｂの分解斜視図である。
【符号の説明】
【００５２】
１，１ａ，１ｂ  スロットマシン
２  外枠
３  遊技機本体
４  前枠
５  裏機構板
８  貯留皿
１２ａ，１２ｂ，１２ｃ  回転ドラム
３０  球投入開口部
４１  スタートレバー
４２  ベットボタン
４３，４４，４５  ストップボタン
４６  貫通装着口
４７  窓口
５０，５０ａ  遊技操作スイッチ部ユニット体
【図１】
2006020765.tif 000003
【図２】
2006020765.tif 000004
【図３】
2006020765.tif 000005
【図４】
2006020765.tif 000006
【図５】
2006020765.tif 000007
【図６】
2006020765.tif 000008
【図７】
2006020765.tif 000009
【図８】
2006020765.tif 000010
【図９】
2006020765.tif 000011
【図１０】
2006020765.tif 000012
【図１１】
2006020765.tif 000013